(57)【要約】【課題】放射線画像の正確な撮影や読み取りが行えるようにすると共に、放射線画像記録パネルに対する放射線照射による劣化の度合いの均一化及び低減化を図る。【解決手段】放射線画像撮影装置５０は、放射線画像の撮影及び読み取りの何れもが行われていない所定タイミングで、放射線画像記録パネル２０又はグリッド２１を、グリッド周期間隔とは異なる所定の微細な距離だけ主走査方向に移動させ、放射線画像記録パネル２０とグリッド２１との相対位置を変更する。【選択図】図１
2005102865.tif 000002
【特許請求の範囲】
【請求項１】
放射線画像を記録する放射線画像記録パネルと、該放射線画像記録パネルと前記放射線画像の被写体との間に、該被写体により散乱される散乱放射線を除去するための放射線吸収層が一定の距離周期毎にストライプ状に複数形成された板形状のグリッドとを互いに略平行に重なるように設けた放射線画像撮影装置において、
前記放射線画像記録パネルと前記グリッドとを、互いに平行に、且つ前記放射線吸収層がストライプ状に延びる方向に対して略垂直方向に移動させることにより、該放射線画像記録パネルと該グリッドとの相対位置を変更するための相対位置変更部を設けたことを特徴とする放射線画像撮影装置。
【請求項２】
前記放射線画像記録パネルに放射線画像を記録する記録期間の前後所定タイミングに、前記相対位置変更部を制御して前記放射線画像記録パネルと前記グリッドとの相対位置を変更する制御部を更に備えたことを特徴とする請求項１に記載の放射線画像撮影装置。
【請求項３】
前記制御部は、前記放射線画像記録パネルと前記グリッドとの相対位置を変更する際、該放射線画像記録パネルと該グリッドとが重なる範囲内において当該変更距離が前記距離周期の整数倍にならないように変更することを特徴とする請求項２に記載の放射線画像撮影装置。
【請求項４】
前記放射線画像記録パネルが輝尽性蛍光体によって形成されていることを特徴とする請求項１〜３のうち何れか一項に記載の放射線画像撮影装置。
【請求項５】
前記制御部は、前記記録期間と、前記放射線画像記録パネルから放射線画像の読み取りを行う読み取り期間とを除く所定タイミングで、前記相対位置変更部を制御して前記放射線画像記録パネルと前記グリッドとの相対位置を変更することを特徴とする請求項２〜４のうち何れか一項に記載の放射線画像撮影装置。
【請求項６】
前記制御部は、前記放射線画像の記録及び読み取りを所定回数分行う度に、前記相対位置変更部を制御して前記放射線画像記録パネルと前記グリッドとの相対位置を変更することを特徴とする請求項２〜５のうち何れか一項に記載の放射線画像撮影装置。
【請求項７】
前記制御部は、所定期間毎に、前記相対位置変更部を制御して前記放射線画像記録パネルと前記グリッドとの相対位置を変更することを特徴とする請求項２〜５うち何れか一項に記載の放射線画像撮影装置。
【請求項８】
前記制御部は、前記放射線画像を前記放射線画像記録パネルから消去する消去期間内に、前記相対位置変更部を制御して前記放射線画像記録パネルと前記グリッドとの相対位置を変更することを特徴とする請求項２〜７うち何れか一項に記載の放射線画像撮影装置。
【請求項９】
前記制御部は、
前記相対位置変更部を制御して前記グリッドだけを移動させることにより該グリッドと前記放射線画像記録パネルとの相対位置を変更することを特徴とする請求項２〜８のうち何れか一項に記載の放射線画像撮影装置。
【請求項１０】
前記相対位置変更部は、機器内部の環境変化に応じて前記放射線画像記録パネルと前記グリッドとの相対位置を変更することを特徴とする請求項１に記載の放射線画像撮影装置。
【発明の詳細な説明】
【技術分野】
【０００１】
本発明は、放射線画像を撮影する放射線画像撮影装置に関する。
【背景技術】
【０００２】
従来より、Ｘ線等の放射線を用いて撮影された放射線画像が病気診断等に広く用いられている。このような放射線画像を得るための方式としては、照射された放射線エネルギーを蓄積、記録し、励起光を照射すると蓄積、記録された放射線エネルギーに応じて輝尽発光する輝尽性蛍光体を、放射線画像を記録する放射線画像記録パネルとして用いた放射線画像記録再生方式が提案されている。
【０００３】
この放射線画像記録再生方式は、被写体を透過させた放射線を輝尽性蛍光体に照射することによって、被写体各部の放射線透過密度に対応する放射線エネルギーを輝尽性蛍光体に蓄積、記録させた後、輝尽性蛍光体に蓄積、記録された放射線エネルギーを励起光を照射することにより輝尽発光させ、この輝尽発光光の強弱を電気信号に変換し、電子データとしての放射線画像を得るものである。以下、輝尽性蛍光体は、カセッテ等の放射線画像パネルに格納されているものとする。
【０００４】
一方、放射線曝射の際（以下、撮影時という。）に、被写体を透過する際に散乱した散乱線が当該輝尽性蛍光体に蓄積、記録される場合が生じ得る。このため、輝尽性蛍光体にはこのような散乱線がノイズとして記録されてしまい、画像品質の劣化を招くこととなる。このようにノイズが記録された放射線画像を用いても、正確な読影、診断は困難となる。
【０００５】
そこで、従来より、このような散乱線を除去するための手段として、放射線吸収率の高い鉛などからなる放射線吸収層（以下、グリッド鉛部という。）と放射線吸収率の低いアルミニウム、紙、木、合成樹脂等からなる放射線透過層（以下、グリッド鉛間部という。）とがストライプ（stripe）状に交互に形成されたグリッドと称する板状の放射線吸収材を用いる技術が種々考案されている（例えば、特許文献１、２を参照。）。このグリッドが放射線画像記録パネル（輝尽性蛍光体）と被写体との間に配置されることにより、上記散乱線が除去可能となる。以下、グリッド鉛部の幅とグリッド鉛間部の幅とを合計した距離周期をグリッド周期間隔という。
【０００６】
上記グリッドは、放射線画像の撮影に、輝尽性蛍光体が使用される以前、すなわち、スクリーンフィルムシステムが使用されていた時代から用いられていた。以下、輝尽性蛍光体や他の各種蛍光体（シンチレータ；scintillator）、更にスクリーンフィルム等、放射線画像を記録する記録媒体を単にディテクタ（detector）という場合がある。
何れの場合も、上記したような放射線画像記録パネルに格納されて使用できるので、以下、放射線画像記録パネルとディテクタとを同意に用いる。
【特許文献１】特開２００２―１１００２号公報
【特許文献１】特開２００１―３４０３２３号公報
【発明の開示】
【発明が解決しようとする課題】
【０００７】
しかし、上記従来の技術には次のような問題点がある。
放射線画像記録パネル（すなわち、輝尽性蛍光体等のディテクタを格納。）は、放射線が照射される毎に、すなわち、使用回数が増加するとそれに応じて劣化が進む。しかし、グリッドと放射線画像記録パネルとの相対位置が固定された状態で繰り返し撮影が行われると、グリッド鉛部とグリッド鉛間部とが各々交互にグリッド周期間隔毎に形成されているため、放射線画像記録パネルに対する劣化の度合いが放射線画像記録パネル内の場所によって異なる（すなわち、劣化の進んだストリップ状の部分が周期的に形成される）こととなり、劣化の度合いが不均一となる。ここで、図６に、放射線画像記録パネルとグリッドとの相対位置が固定された状態でグリッド鉛部とグリッド鉛間部とにおける輝尽性蛍光体に生じる劣化の度合いの差を示す。
【０００８】
本発明の課題は、放射線画像の正確な撮影や読み取りが行えるようにすると共に、放射線画像記録パネルに対する放射線照射による劣化の度合いの均一化及び低減化を図ることである。
【課題を解決するための手段】
【０００９】
上記課題を解決するため、請求項１記載の発明は、
放射線画像を記録する放射線画像記録パネルと、該放射線画像記録パネルと前記放射線画像の被写体との間に、該被写体により散乱される散乱放射線を除去するための放射線吸収層が一定の距離周期毎にストライプ状に複数形成された板形状のグリッドとを互いに略平行に重なるように設けた放射線画像撮影装置において、
前記放射線画像記録パネルと前記グリッドとを、互いに平行に、且つ前記放射線吸収層がストライプ状に延びる方向に対して略垂直方向に移動させることにより、該放射線画像記録パネルと該グリッドとの相対位置を変更するための相対位置変更部を設けたことを特徴とする。
【００１０】
更に、請求項２に記載の発明のように、請求項１に記載の発明において、
前記放射線画像記録パネルに放射線画像を記録する記録期間の前後所定タイミングに、前記相対位置変更部を制御して前記放射線画像記録パネルと前記グリッドとの相対位置を変更する制御部を更に備えるのが好ましい。
【００１１】
更に、請求項３に記載の発明のように、請求項２に記載の発明において、
前記制御部は、前記放射線画像記録パネルと前記グリッドとの相対位置を変更する際、該放射線画像記録パネルと該グリッドとが重なる範囲内において当該変更距離が前記距離周期の整数倍にならないように変更するのが好ましい。
【００１２】
更に、請求項４に記載の発明のように、請求項１〜３のうち何れか一項に記載の発明において、
前記放射線画像記録パネルが輝尽性蛍光体によって形成されているのが好ましい。
【００１３】
更に、請求項５に記載の発明のように、請求項２〜４のうち何れか一項に記載の発明において、
前記制御部は、前記記録期間と、前記放射線画像記録パネルから放射線画像の読み取りを行う読み取り期間とを除く所定タイミングで、前記相対位置変更部を制御して前記放射線画像記録パネルと前記グリッドとの相対位置を変更するのが好ましい。
【００１４】
更に、請求項６に記載の発明のように、請求項２〜５のうち何れか一項に記載の発明において、
前記制御部は、前記放射線画像の記録及び読み取りを所定回数分行う度に、前記相対位置変更部を制御して前記放射線画像記録パネルと前記グリッドとの相対位置を変更するのが好ましい。
【００１５】
更に、請求項７に記載の発明のように、請求項２〜５のうち何れか一項に記載の発明において、
前記制御部は、所定期間毎に、前記相対位置変更部を制御して前記放射線画像記録パネルと前記グリッドとの相対位置を変更するのが好ましい。
【００１６】
更に、請求項８に記載の発明のように、請求項２〜７のうち何れか一項に記載の発明において、
前記制御部は、前記放射線画像を前記放射線画像記録パネルから消去する消去期間内に、前記相対位置変更部を制御して前記放射線画像記録パネルと前記グリッドとの相対位置を変更するのが好ましい。
【００１７】
更に、請求項９に記載の発明のように、請求項２〜８のうち何れか一項に記載の発明において、
前記制御部は、
前記相対位置変更部を制御して前記グリッドだけを移動させることにより該グリッドと前記放射線画像記録パネルとの相対位置を変更するのが好ましい。
【００１８】
更に、請求項１０に記載の発明のように、請求項１に記載の発明において、
前記相対位置変更部は、機器内部の環境変化に応じて前記放射線画像記録パネルと前記グリッドとの相対位置を変更するのが好ましい。
【発明の効果】
【００１９】
したがって、放射線画像記録パネルとグリッドとの相対位置が固定されたまま何度も繰り返し放射線撮影が行われるということがなくなり、グリッドが原因となる劣化の度合いの差が生じるのを防止できる。更に、放射線画像の撮影や読み取りが行われていない所定タイミングでグリッドの移動が行われるので、グリッドを移動させる際に生じる振動が撮影時及び読み取り時に回避でき、正確な放射線画像の撮影及び読み取りが可能となる。
すなわち、放射線画像の正確な撮影や読み取りが行えると共に、輝尽性蛍光体等の放射線画像記録パネルにおける放射線照射による劣化の度合いの均一化及び低減化が図れる。
【発明を実施するための最良の形態】
【００２０】
以下、図面を参照して本発明を適用した一実施の形態について詳細に説明する。まず、図１を参照して放射線画像撮影装置５０の構成について説明する。
【００２１】
図１に示すように、放射線画像撮影装置５０は、コントローラ２及び読取装置３を備える。
【００２２】
コントローラ２は、パソコン等によって成る制御部３５と、制御部３５に各種指示入力を行うためのキーボードやマウス等のポインティングデバイスを有する入力部３６と、制御部３５から出力される各種表示情報を表示するためのＬＣＤ（Liquid Crystal Display）やフィルム等に印刷するためのプリンタ等（何れも図示略。）を有する出力部２７とを備える。コントローラ２は、読取装置３から送信されるデジタル画像信号を一旦メモリに格納し、入力部３６等から入力される各種指示に応じて当該画像信号を画像処理し、当該画像処理後の画像を出力部２７を介して必要に応じて表示したり印刷したりする。
【００２３】
読取装置３は、読取装置３の各部（すなわち、レーザ駆動回路５、高圧電源１０ａ、変換部４１、補正部４２、画像送信部４３、ドライバ４５、パネル／グリッド相対位置変更部１００等。）や、放射線発生装置３１及び制御部３２等、放射線画像撮影装置５０を統括的に制御する制御部１７を備える。特に、制御部１７は、プログラムを実行することにより（或いは、ハードウェアにより）図４のフローチャートに示す処理を行う。
【００２４】
読取装置３は、放射線画像記録パネル２０及びグリッド２１と、放射線画像記録パネル２０とグリッド２１との相対位置を詳細調整するためのパネル／グリッド相対位置変更部１００とを備える。
【００２５】
読取装置３は走査光学部２４を備え、走査光学部２４は、放射線画像記録パネル２０の輝尽性蛍光体に対し励起光としてのレーザ光を照射するレーザダイオード等からなるレーザ光源部６と、レーザ光源部６を駆動するためのレーザ駆動回路５と、レーザ光源部６から発生するレーザ光を放射線画像記録パネル２０上に走査させるための光学系７とを備える。
【００２６】
読取装置３は集光読取部９を備え、集光読取部９は、レーザ光源部６から放射線画像記録パネル２０に対し照射されたレーザ光により励起された輝尽発光光を集光する光ガイド２２と、光ガイド２２により集光された光を光電変換する光電子増倍管２３とを備える。
【００２７】
読取装置３は、光電子増倍管２３に電圧を加える高圧電源１０ａと、光電子増倍管２３からの電流信号（アナログ画像信号。）を電流電圧変換・電圧増幅・Ａ／Ｄ変換等により、デジタル信号に変換する変換部４１と、この変換部４１により変換されたデジタル信号を補正する補正部４２と、この補正部４２により補正されたデジタル信号をコントローラ２に送信する画像送信部４３と、消去部２６を駆動するドライバ４５とを備る。ここで、補正部４２は、デジタル信号の応答遅れやムラ等の補正を行う。
【００２８】
読取装置３は、放射線画像記録パネル２０の輝尽性蛍光体に消去光を照射してこの輝尽性蛍光体に記録された放射線画像を消去する消去部２６を備える。消去部２６は、消去光を発光するランプ２６ａを備える（図２を参照。）。
【００２９】
上記構成を有する読取装置３は、輝尽性蛍光体を備えた放射線画像記録パネル２０に放射線発生装置３１から照射された放射線による人体等の被写体Ｍの放射線画像を一旦記録させ、その後、放射線画像記録パネル２０に走査光学部２４からレーザ光を走査して順次輝尽発光させ、集光読取部９を介してこの輝尽発光光をアナログからデジタルの画像信号に変換してコントローラ２に出力する。その後、読取装置３は、消去部２６により、この読み取った後の放射線画像を輝尽性蛍光体から消去する。
【００３０】
また、図２に示すように、読取装置３の各構成部のうち、集光読取部９、消去部２６、走査光学部２４等が、筐体３ａ内に副走査ユニットとして一体的に配置され、ボールねじ機構により、レーザ走査方向と垂直な副走査方向ａ、a'に一体に移動する。
【００３１】
上記副走査ユニットが副走査方向ａに移動する際に放射線画像記録パネル２０に対し励起光としてのレーザ光が照射されて放射線画像の読み取りが行われ、副走査方向ａ'に復動する際に放射線画像記録パネル２０の輝尽性蛍光体から放射線画像が消去される。
【００３２】
ここで、走査光学部２４からのレーザ光は放射線画像記録パネル２０に対し図の紙面垂直方向に主走査すると共に図の上下方向に副走査するようになっている。
【００３３】
光ガイド２２、光電面２３ａ及び光電子増倍管２３は、放射線画像記録パネル２０に対する主走査方向に延びた形状を有し、光ガイド２２は、走査光学部２４からレーザ光が照射されることにより放射線画像記録パネル２０の輝尽性蛍光体から発生する輝尽発光光が入射できるよう配置され、光電面２３ａ及び光電子増倍管２３は、光ガイド２２から出力される光を受け取って光電変換できるように配置されている。
【００３４】
筐体３ａ内には反射部材６０が放射線画像記録パネル２０にほぼ平行に対向するように配置されており、この反射部材６０に消去部２６からの光が照射されると放射線画像記録パネル２０に反射されるようになっている。反射部材６０は、ガラス鏡や金属板等の光反射率の高い素材によって成る。
【００３５】
また、グリッド２１の設置態様の一例を図３に示す。図３に示すように、放射線画像記録パネル２０及びグリッド２１は、ガイドＡ１、Ａ２により副走査方向に支持されて主走査方向に移動可能となっている。ガイドＡ１（或いはガイドＡ２）側には、パネル／グリッド相対位置変更部１００が設置され、パネル／グリッド相対位置変更部１００は、制御部１７による制御の元で放射線画像記録パネル２０或いはグリッド２１を図中符号Ｂに示す主走査方向に移動させる。
【００３６】
パネル／グリッド相対位置変更部１００は、放射線画像記録パネル２０又はグリッド２１の何れか一方を主走査方向に移動させるための駆動機構を備える。例えば、本実施の形態では、モータによる回転駆動を直線駆動に変換するための偏心カム（何れも図示略。）が用いられているものとする。
【００３７】
更に、パネル／グリッド相対位置変更部１００は、放射線画像記録パネル２０又はグリッド２１の何れか一方を、グリッド周期間隔より十分小さい距離（例えば、グリッド周期間隔の１／１０。）だけ主走査方向に移動させることが可能であるとする。例えば、パネル／グリッド相対位置変更部１００は、上記モータによる回転駆動により回転し、径方向に等間隔にスリットが設けられた図示しない円盤を備えると共に、当該円盤の回転中にスリットが幾つ通過したかを検出するための図示しない発光部及び受光部を当該円盤を挟んだ位置に備え、制御部１７は、この発光部から発光された光が上記円盤のスリットを介して受光部により受光された回数を計数することにより、放射線画像記録パネル２０又はグリッド２１の移動距離を算出するものとする。すなわち、制御部１７は、モータの回転駆動を制御して、微細な所定距離（例えば、グリッド周期間隔の１／１０程度。）だけ放射線画像記録パネル２０又はグリッド２１を主走査方向に移動させることが可能である。この場合、移動されない放射線画像記録パネル２０又はグリッド２１は固定されるものとする。
【００３８】
次に、図４を参照して放射線画像撮影装置５０の動作を説明する。以下で説明する動作は制御部１７による制御に基づいて行われる。
【００３９】
まず、撮影開始指示が制御部３２に入力されると、制御部３２は放射線発生装置３１を駆動して被写体Ｍに向けて一定時間放射線を照射して放射線画像を放射線画像記録パネル２０の輝尽性蛍光体に記録する（ステップＳ１）。
【００４０】
ステップＳ１の後、被写体Ｍに対する撮影（すなわち、放射線画像記録パネル２０の輝尽性蛍光体に放射線画像を記録すること。以下、同様。）が終了すると、上記副走査ユニットが副走査方向ａに駆動され、当該輝尽性蛍光体に記録された放射線画像の読み取りが行われる（ステップＳ２）。
【００４１】
ステップＳ２の後、放射線画像の読み取りが終了すると、上記副走査ユニットが副走査方向ａ'に駆動され、当該放射線画像を当該輝尽性蛍光体から消去するための処理が行われる（ステップＳ３）。
【００４２】
ステップＳ３の後、更に撮影が行われる場合には（ステップＳ４；Ｙｅｓ）、ステップＳ１に移行し、撮影が行われない場合には（ステップＳ４；Ｎｏ）、この一連の処理が終了となる。
【００４３】
更に、パネル／グリッド相対位置変更部１００が制御され、ステップＳ１及びＳ２が行われていない期間内の所定タイミングで、放射線画像記録パネル２０又はグリッド２１がグリッド周期間隔とは異なる微細な所定距離（例えば、グリッド周期間隔の１／１０程度。）だけ主走査方向に移動され、放射線画像記録パネル２０とグリッド２１との相対位置が変更される。この場合、放射線画像記録パネル２０又はグリッド２１のうち移動されないものはガイドＡ１、Ａ２に固定されている。
【００４４】
以上説明したように、放射線画像撮影装置５０は、放射線画像の撮影及び読み取りの何れもが行われていない所定タイミングで、放射線画像記録パネル２０又はグリッド２１を、グリッド周期間隔とは異なる所定の微細な距離だけ主走査方向に移動させ、放射線画像記録パネル２０とグリッド２１との相対位置を変更する。
【００４５】
したがって、放射線画像記録パネル２０とグリッド２１との相対位置が固定されたまま何度も繰り返し放射線撮影が行われるということがなくなり、グリッドが原因となる劣化の度合いの差が生じるのを防止できる。更に、放射線画像の撮影や読み取りが行われていない所定タイミングでグリッドの移動が行われるので、グリッドを移動させる際に生じる振動が撮影時及び読み取り時に回避でき、正確な放射線画像の撮影及び読み取りが可能となる。
ここで、図５に、放射線の累積入射量（撮影回数を表す。）と輝尽性蛍光体の相対変換計数（相対変換計数が低いと輝尽性蛍光体の劣化の度合いが高いことを示す。）との相関を示す。図５によれば、放射線画像記録パネル２０とグリッド２１との相対位置が固定されている場合（図中符号Ｄ１に示すグラフを参照。）に比べ、本発明のように、撮影時及び読み取り時以外の所定タイミングで放射線画像記録パネル２０又はグリッド２１が移動され、放射線画像記録パネル２０とグリッド２１との相対位置が変更される場合（図中符号Ｄ２に示すグラフを参照。）のほうが、輝尽性蛍光体の劣化の度合いが十分に抑制されていることがわかる。
【００４６】
なお、本実施の形態における記述は、本発明に係る放射線画像撮影装置の一例を示すものであり、これに限定されるものではない。本実施の形態における放射線画像撮影装置５０の細部構成および詳細動作に関しては、本発明の趣旨を逸脱しない範囲で適宜変更可能である。
【００４７】
例えば、放射線画像記録パネル２０及びグリッド２１の相対位置の変更は、数日（或いは、数週間、数ヶ月等。）に一度、又は、所定回数分の撮影毎に行うようにしてもよい。この場合、累積的には、一回の撮影の度に当該相対位置の変更を毎回行うようにした場合と同様の効果が得れる。
【００４８】
また、パネル／グリッド相対位置変更部１００は、制御部１７による制御に基づいて撮影時及び読み取り時以外の期間内の所定タイミングで放射線画像記録パネル２０又はグリッド２１を移動させるとしたが、これに限らない。例えば、パネル／グリッド相対位置変更部１００は、熱膨張率の異なる二種の金属の薄板を貼り合わせ、温度変化によって湾曲変形するバイメタル（bimetal）を備え、制御部１７の制御によらず、バイメタルの温度変化に伴う湾曲変形によって放射線画像記録パネル２０又はグリッド２１を主走査方向に移動させるようにしてもよい。
【００４９】
また、グリッド２１としては、固定グリッドのうち、平行グリッド、集光グリッドの何れに対しても、本発明は適用可能である。
【００５０】
また、放射線画像を記録するディテクタとして輝尽性蛍光体を想定したが、これに限らず、他の各種蛍光体やフィルムスクリーン、更には、ＦＰＤ（Flat Panel Detector）等に対しても本発明は適用可能である。
【図面の簡単な説明】
【００５１】
【図１】本発明を適用した放射線画像撮影装置の内部構造を概略的に示す図である。
【図２】副走査ユニットを示す断面図である。
【図３】放射線画像記録パネル又はグリッドの設置態様の一例を示す図である。
【図４】本発明を適用した放射線画像撮影装置による動作を説明するフローチャートである。
【図５】放射線の累積入射線量と輝尽性蛍光体の相対変換計数との相関を示す図である。
【図６】グリッド鉛部とグリッド鉛間部とにおける輝尽性蛍光体に生じる劣化の度合いの差を示す図である。
【符号の説明】
【００５２】
２  コントローラ
３  読取装置
５  レーザ駆動回路
６  レーザ光源部
７  光学系
９  集光読取部
１０ａ  高圧電源
１７  制御部
２０  放射線画像記録パネル
２１  グリッド
２２  光ガイド
２３  光電子増倍管
２３ａ  光電面
２４  走査光学部
２４ａ  レーザ光
２６  消去部
２６ａ  ランプ
２７  出力部
３１  放射線発生装置
３２  制御部
３５  制御部
３６  入力部
３ａ  副走査ユニット
４１  変換部
４２  補正部
４３  画像送信部
４５  ドライバ
５０  放射線画像撮影装置
６０  反射部材
１００  パネル／グリッド相対位置変更部
Ａ１、Ａ２  ガイド
Ｍ  被写体
【図１】
2005102865.tif 000003
【図２】
2005102865.tif 000004
【図３】
2005102865.tif 000005
【図４】
2005102865.tif 000006
【図５】
2005102865.tif 000007
【図６】
2005102865.tif 000008